(57)【要約】【課題】  引き出しの什器本体内への収納時および引き出し時の操作によっても、読出装置に接続される通信ケーブルに負荷をかけることのなく破損等が防止され、物品に取り付けられたＲＦＩＤタグの物品情報を、常に的確に読出可能な引き出しを備える什器を提供すること。【解決手段】  什器本体１ａから引き出し２０２内の読出装置４６に配線する通信ケーブル２を、什器本体１ａの内部後方側と前記引き出し２０２間に配設された配線支持体７０により支持させ、この配線支持体７０を、引き出し２０２が什器本体１ａ内に収納した位置では屈曲させ、引き出し２０２が什器本体１ａから引き出された位置では伸長するようにして、通信ケーブル２の破損を未然に防止する。【選択図】  図４
2006223046.tif 000002
【特許請求の範囲】
【請求項１】
ＲＦＩＤタグが取り付けられた物品が収納可能になっている引き出しを備え、該引き出しには物品情報が記録された前記ＲＦＩＤタグの情報を読み出す読出装置が備えられる什器であって、什器本体から引き出し内の前記読出装置に配線する通信ケーブルを、前記什器本体の内部後方側と前記引き出し間に配設された配線支持体により支持させ、該配線支持体を、前記引き出しが前記什器本体内に収納した位置では屈曲させ、前記引き出しが什器本体から引き出された位置では伸長するようにしたことを特徴とする物品情報を読出可能な引き出しを備える什器。
【請求項２】
前記配線支持体の一方を前記引き出しの後方側に設けた請求項１に記載の物品情報を読出可能な引き出しを備える什器。
【請求項３】
前記配線支持体の一方が前記引き出しの隅部近傍に支持されている請求項２に記載の物品情報を読出可能な引き出しを備える什器。
【請求項４】
前記配線支持体は、２つの杆材を互いに枢着部で軸支させ、一方の杆材の端部を什器本体に枢着させるとともに、他方の杆材の端部を引き出しに枢着させたものであり、前記引き出しが前記什器本体内に収納される時には、前記杆材の枢着部で屈曲する請求項１乃至３のいずれかに記載の物品情報を読出可能な引き出しを備える什器。
【請求項５】
前記２つの杆材の上下位置に所定の間隔を設け、前記引き出しが前記什器本体内に収納される時には、前記両杆材を上下に所定間隔離間された状態で重ねて屈曲させるようにした請求項４に記載の物品情報を読出可能な引き出しを備える什器。
【請求項６】
前記通信ケーブルを前記配線支持体から脱落防止可能な保持具で支持させた請求項１乃至５のいずれかに記載の物品情報を読出可能な引き出しを備える什器。
【発明の詳細な説明】
【技術分野】
【０００１】
本発明は、物品情報が記録されたＲＦＩＤタグの情報を読出可能な引き出しを備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。尚、ＲＦＩＤ（Ｒａｄｉｏ Ｆｒｅｑｕｅｎｃｙ ＩＤｅｎｔｉｆｉｃａｔｉｏｎ、無線による識別）タグとは、記憶部を有するＩＣチップと、記憶部に記憶された情報を送受信可能な無線アンテナと、からなる。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
【特許文献１】特開平７−１８２３５７号公報（段落００１１−００２２、図１〜３）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置の磁気アンテナから発生される電磁波の磁界の向きに対して、電磁遮蔽材からは磁界が逆向きに発生されることで、読出装置からの電磁波が電磁遮蔽材によって影響されてしまいＲＦＩＤタグに起電力が発生しにくくなり、ＲＦＩＤタグに記録される物品情報を含む電磁波の読み取りに不具合が生じることがあった。
【０００６】
特に電磁遮蔽材で構成された引き出しを備えた什器においては、読出装置の取付位置に苦慮し、最適な取付箇所を見出すことが困難であるとともに、仮に読出装置を引き出し内に備えることができたとしても、引き出しは什器から出し入れするので、什器本体から読出装置に対して直接的に通信ケーブル（各種信号の送受信を行う信号ケーブルと、電力を供給する給電ケーブルと、を含む）を配線させると、引き出しの引き出し時には通信ケーブルを伸長させ、収納時には弛みを生じさせることになり、引き出し操作の繰り返しで通信ケーブルを早期に劣化させ破損を生じさせる恐れがあった。
【０００７】
本発明は、このような問題点に着目してなされたもので、引き出しの什器本体内への収納時および引き出し時の操作によっても、読出装置に接続される通信ケーブルに負荷をかけることのなく破損等が防止され、物品に取り付けられたＲＦＩＤタグの物品情報を、常に的確に読出可能な引き出しを備える什器を提供することを目的とする。
【課題を解決するための手段】
【０００８】
上記課題を解決するために、本発明の請求項１に記載の物品情報を読出可能な引き出しを備える什器は、ＲＦＩＤタグが取り付けられた物品が収納可能になっている引き出しを備え、該引き出しには物品情報が記録された前記ＲＦＩＤタグの情報を読み出す読出装置が備えられる什器であって、什器本体から引き出し内の前記読出装置に配線する通信ケーブルを、前記什器本体の内部後方側と前記引き出し間に配設された配線支持体により支持させ、該配線支持体を、前記引き出しが前記什器本体内に収納した位置では屈曲させ、前記引き出しが什器本体から引き出された位置では伸長するようにしたことを特徴としている。
この特徴によれば、引き出しの収納位置では屈曲し、引き出しの引き出し位置では伸長する配線支持体に、什器本体から引き出し内の読出装置に配線される通信ケーブルを支持させたことで、引き出しの収納時または引き出し時に通信ケーブルは常に配線支持体に沿って、屈曲または伸長可能に支持されるため、通信ケーブルの劣化や引っ掛かりが防止されるので、通信ケーブルの破損が未然に防止される。
【０００９】
本発明の請求項２に記載の物品情報を読出可能な引き出しを備える什器は、請求項１に記載の物品情報を読出可能な引き出しを備える什器であって、前記配線支持体の一方を前記引き出しの後方側に設けたことを特徴としている。
この特徴によれば、配線支持体の一方を引き出しの後方側に設けたことで、引き出し内に物品を収納する際に配線支持体が邪魔になることがなく、引き出しの収納時には配線支持体が什器本体の内部後方側と引き出しの後方側のスペースに収納されるので、配線支持体の新たなスペースを設ける必要がなく、既存の什器にも適用可能となる。
【００１０】
本発明の請求項３に記載の物品情報を読出可能な引き出しを備える什器は、請求項２に記載の物品情報を読出可能な引き出しを備える什器であって、前記配線支持体の一方が前記引き出しの隅部近傍に支持されていることを特徴としている。
この特徴によれば、配線支持体の一方を隅部に設ける事で什器本体と引き出しの連結強度を高めることができるとともに、引き出しの死角スペースである後方隅部を有効に活用できる。
【００１１】
本発明の請求項４に記載の物品情報を読出可能な引き出しを備える什器は、請求項１乃至３のいずれかに記載の物品情報を読出可能な引き出しを備える什器であって、前記配線支持体は、２つの杆材を互いに枢着部で軸支させ、一方の杆材の端部を什器本体に枢着させるとともに、他方の杆材の端部を引き出しに枢着させたものであり、前記引き出しが前記什器本体内に収納される時には、前記杆材の枢着部で屈曲することを特徴としている。
この特徴によれば、２つの杆材同士を枢着した簡単な構造で配線支持体が安価に組み立てられるとともに、引き出しを引き出す際には、２つの杆材が互いに伸長されるので配線支持体を無理なく、かつ確実に追従させることができ、引き出しが什器本体内に収納され始めると、２つの杆材が互いに近接されて、二つ折りにコンパクトに収納される。
【００１２】
本発明の請求項５に記載の物品情報を読出可能な引き出しを備える什器は、請求項４に記載の物品情報を読出可能な引き出しを備える什器であって、前記２つの杆材の上下位置に所定の間隔を設け、前記引き出しが前記什器本体内に収納される時には、前記両杆材を上下に所定間隔離間された状態で重ねて屈曲させるようにしたことを特徴としている。
この特徴によれば、引き出しが前記什器本体内に収納される時には、よりコンパクトに２つの杆材を上下に重ねて収納でき省スペース化を図れるとともに、上下の杆材は所定の間隔で離間されているので、通信ケーブルを上下の杆材で挟み込むことがない。
【００１３】
本発明の請求項６に記載の物品情報を読出可能な引き出しを備える什器は、請求項１乃至５のいずれかに記載の物品情報を読出可能な引き出しを備える什器であって、前記通信ケーブルを前記配線支持体から脱落防止可能な保持具で支持させたことを特徴としている。
この特徴によれば、保持具によって通信ケーブルを配線支持体に沿わせて位置固定できるとともに、通信ケーブルの脱落を確実に防止できるので、引き出しの収納時および引き出し時に、保持具によって配線支持体に通信ケーブルを安定して支持できる。
【発明を実施するための最良の形態】
【００１４】
本発明の実施例を以下に説明する。
【実施例】
【００１５】
図１は、実施例における什器が適用された物品管理システムの構成を示すブロック図であり、図２は、図１の什器の引き出し側の縦断面図であり、図３は、什器から引き出された引き出しを示す一部組立分解斜視図であり、図４は、什器から引き出された引き出しの平面断面図であり、図５は、引き出しが什器内に収納された状態を示す斜視図である。
【００１６】
図１に示されるように、物品が収納される什器１は複数設置（本実施例では３台設置）されており、これら什器１側からは各種信号の送受信を行う信号ケーブルと、電力を供給する給電ケーブルと、を含む通信ケーブル２を介してチューナー等の中継装置１１に接続されており、中継装置１１は通信ケーブル２を介して什器アンテナ１０に接続されている。
【００１７】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１８】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１９】
什器１は従来公知のラテラル式の什器２００の上部に書庫１００を載置した構成となっており、書庫１００には棚板２５、２６で区画された上棚収納部１０１と下棚収納部１０２が形成され、什器２００には引き出し２０１、２０２、２０３、２０４が備えられており、これらの収納部にファイルやカルテ等の書類を収納するファイルケースや書籍等の物品７が収納されている。後で詳述するが、什器１に収納されるファイルケースや書籍等の物品には、個々にＲＦＩＤタグが貼付されている。
【００２０】
什器２００の引き出し２０１、２０２、２０３、２０４の内部には、後述する読出装置としてのＲＦＩＤアンテナが配設されており、ＲＦＩＤタグからの物品情報を含む電磁波を受信可能になっている。ＲＦＩＤアンテナは通信ケーブル２に接続され、中継装置１１、什器アンテナ１０、管理アンテナ９を介して、管理コンピュータ３に接続されており、これら引き出し２０１、２０２、２０３、２０４に収納されるＲＦＩＤタグの物品情報のデータが管理コンピュータ３に送信されることで、管理コンピュータ３で複数の引き出し２０１、２０２、２０３、２０４に収納される物品の管理を一元的に行えるようになっている。
【００２１】
また、什器２００には、解錠ランプ２１５、施解錠装置２１７、スピーカ２１６が設けられ、各引き出し２０１、２０２、２０３、２０４の後述する各左右の区分けされた収納部に対応して、取手２２０の左右位置に左収納部指示ランプ２１１ａ、２１２ａ、２１３ａ、２１４ａおよび右収納部指示ランプ２１１ｂ、２１２ｂ、２１３ｂ、２１４ｂが設けられており、前述のＲＦＩＤアンテナと同様に通信ケーブル２に接続され、中継装置１１、什器アンテナ１０、管理アンテナ９を介して、管理コンピュータ３に接続されており、管理コンピュータ３で一元的に左収納部指示ランプ（２１１ａ〜２１４ａ）および右収納部指示ランプ（２１１ｂ〜２１４ｂ）の点灯、消灯または点滅を制御可能になっている。
【００２２】
つまり、管理コンピュータ３からの制御データに基づいて、これらランプの点灯消灯が制御され、例えば、右収納部指示ランプ２１２ｂの点灯に基づいて、引き出し２０２の場所を利用者に報知可能な構成になっている。なお、引き出し２０１、２０２、２０３、２０４の各収納部は、後述する仕切板で２つに区分されており、各種書類が保管されるファイルケースが収納されている。
【００２３】
なお、本実施例のＲＦＩＤアンテナと、物品情報が記録されたＲＦＩＤタグには、それぞれ環状のコイル型のアンテナを用いており、ＲＦＩＤアンテナとＲＦＩＤタグのコイル間に誘導されて発生する磁束を利用した電磁誘導方式により交信を行うようになっている。そして、ＲＦＩＤアンテナの読み出し周波数は、電磁誘導方式の長波帯（〜１３５ｋＨｚ）の周波数（本実施例においては１２５ｋＨｚ）を用いているが、本発明は、例えば、電磁誘導方式の短波帯（１３．５６ＭＨｚ）や、マイクロ波帯の電波を利用した電波方式のマイクロ波帯（２．４５ＧＨｚ）や、ＵＨＦ帯（９５０ＭＨｚ〜９５６ＭＨｚ）等を利用することもでき、棚に載置される物品の形状や交信距離にあわせて、より理想的な環境下に適合した最適な方式と周波数のＲＦＩＤアンテナと、該ＲＦＩＤアンテナと交信可能なＲＦＩＤタグを適宜利用するようにすれば良い。
【００２４】
次に、ＲＦＩＤアンテナが配設された引き出し２０２の構造と、ＲＦＩＤアンテナとＲＦＩＤタグの関係を、図２ないし図５を用いてさらに詳述して説明する。なお、引き出し２０１、２０３、２０４の構造も引き出し２０２と同様のため一部説明を割愛する。
【００２５】
図２に示されるように、引き出し２０２が収納される什器２００の什器本体１ａは、電磁遮蔽材（本実施例ではスチール材）である背面板１７、側面板１９、底板１８、から構成され、正面が開口するように引き出し収納庫２００ａが形成されている。側面板１９には、案内レール２２６が４段設けられていて、引き出し２０２の側面に形成された嵌合レール２２７を案内レール２２６に摺動可能に嵌合させることで、引き出し２０２が什器本体１ａの内部である引き出し収納庫２００ａに収納あるいは引き出される。
【００２６】
天板１６から背面板１７かけては、通信ケーブル２が配線されており、天板１６の正面部に設けられた解錠ランプ２１５、そして図１で示されたスピーカ２１６、施解錠装置２１７にそれぞれ接続され、これら通信ケーブル２は束ねられて外部に配線され中継装置１１に接続されている。
【００２７】
引き出し２０２は電磁遮蔽材である金属板で形成されており、引き出し２０２の内部には、図２において引き出し２０３の一部破断図、及び図３に示されるように、前後方向に向けて立設された仕切板６０によって区画された収納部１０３ａ、１０３ｂにＲＦＩＤ仕切板４４ａ、４４ｂが設けられており、このＲＦＩＤ仕切板４４ａ、４４ｂの内部には後述するＲＦＩＤタグの読出装置に相当するＲＦＩＤアンテナ４６が配設されている。
【００２８】
引き出し２０２の後面板には、主に金属板で形成された後述において詳述する配線支持体７０の一方端が取り付けられ、配線支持体７０の他端が什器本体１ａの背面板１７に取り付けられており、背面板１７から引き出し２０２に配線支持体７０が掛け渡されている。
【００２９】
背面板１７側から什器本体１ａの内部に向けて配線された通信ケーブル２は、配線支持体７０に沿って配設され、さらに引き出し２０２の後面側に沿って配線され、内部のＲＦＩＤ仕切板４４ａ、４４ｂのＲＦＩＤアンテナ４６と外部の左右収納部指示ランプ２１２ａ、２１２ｂにそれぞれ接続配線されている。
【００３０】
次に、引き出し２０２の内部構造と配線支持体７０の構造について具体的に説明する。
図３に示されるように、引き出し２０２は取手２２０が設けられた前方の前面板、後方の後面板、左右の側面板および底板から構成され、上部が開口された矩形体で形成され、引き出し２０２内の中央部には、前後方向を向く２枚の仕切板６０，６０が左右に離間され立設されている。
【００３１】
この仕切板６０，６０は電磁遮蔽材である金属板で形成されており、仕切板６０，６０によって引き出し２０２の内部を左右にファイルケース等の物品を収納可能な左収納部１０３ａ，右収納部１０３ｂと、什器本体１ａの背面板１７側からの通信ケーブル２を収納する空間部５０と、に区画されている。
【００３２】
仕切板６０，６０の上部には前後方向に等間隔で左右方向に貫通する係止溝６１が複数形成され、同様に引き出し２０２の左右側面板の上部にも係止溝６１’が複数形成されている。仕切板６０，６０の前後端上部には、左右に貫通する配線溝６２がそれぞれ形成され、通信ケーブル２を挿通可能になっている。
【００３３】
左収納部１０３ａおよび右収納部１０３ｂに立設される左右方向を向くＲＦＩＤ仕切板４４ａおよびＲＦＩＤ仕切板４４ｂの内部には、所定の位置にそれぞれＲＦＩＤアンテナ４６が配設されており、左右の側面上端部には係止部４５，４５が設けられている。
【００３４】
そこで、ＲＦＩＤ仕切板４４ｂを右収納部１０３ｂに立設させるには、ＲＦＩＤ仕切板４４ｂを左右方向に向けた状態で下方に向けて挿し込みながら、一方の係止部４５を係止溝６１に係合させるとともに、他方の係止部４５を係止溝６１’に係合させることで確実に嵌合され位置固定される。
【００３５】
また、係止溝６１および係止溝６１’は複数形成されていることから、左収納部１０３ａおよび右収納部１０３ｂに収納される物品の形状や大きさに合わせて、ＲＦＩＤ仕切板４４ａ、４４ｂの取り付け位置を所望の位置に設定できるようになっている。
【００３６】
什器本体１ａの背面板１７から引き出し２０２の後方側に掛け渡される配線支持体７０の構造は、金属杆状の上杆材７１と下杆材７２の一方端側の枢着部７１ａおよび枢着部７２ａを上下位置に所定間隔離間させた状態で、両枢着部７１ａ，７２ａを軸７３によって軸支させたことで、軸７３を中心に上杆材７１と下杆材７２の両者を屈曲させ、または伸長させることが可能な屈曲自在性を有している。上杆材７１と下杆材７２の他方側の端部７１ｂおよび端部７２ｂの下端には、下方に向くように軸７４がそれぞれ溶接され固定されている。
【００３７】
収納部１０３ａの後方隅部近傍には、金属板で折り曲げ形成された支持金具７７が取り付けられ、背面板１７には支持金具７７と重なる隅部位置よりも、やや上部位置に折り曲げ形成された支持金具７６が取り付けられている。これら支持金具７７および支持金具７６には上下に貫通する軸受け孔（図示略）が形成されており、支持金具７７の軸受け孔に下杆材７２の端部７２ｂの軸７４を緩挿させ、支持金具７６の軸受け孔に上杆材７１の端部７１ｂの軸７４を緩挿させることで、容易に配線支持体７０の取り付けを行うことができる構成になっている。
【００３８】
しかも、引き出し２０２の後方隅部に配線支持体７０の一方側である下杆材７２を設けたことで、死角スペースである後方隅部が有効に活用されるととともに、引き出し２０２と什器本体１ａとの連結強度が高められるので、配線支持体７０の両端部７１ｂ，７１ａを支持金具７７，７６に安定した状態で支持させることができる。
【００３９】
上杆材７１の端部７１ｂと枢着部７１ａの近傍位置には保持具７１ｃが設けられ、下杆材７２の端部７２ｂと枢着部７２ａにも同型の保持具７２ｃが設けられることで、背面板１７側から上杆材７１の上面に沿って配線される通信ケーブル２を保持具７１ｃで位置固定させ、さらに下杆材７２の下面に沿って配線される通信ケーブル２を保持具７２ｃで位置固定させることができ、後述する引き出し２０２の収納時および引き出し時に通信ケーブル２を配線支持体７０から脱落させることなく支持させることができる。
【００４０】
配線支持体７０側から引き出し２０２内に延びた通信ケーブル２は引き出し２０２の後方内側面に沿い、仕切板６０の配線溝６２を介して空間部５０内に引き込まれ、その先端にはコネクタ８０が接続されている。そしてＲＦＩＤ仕切板４４ａおよびＲＦＩＤ仕切板４４ｂのＲＦＩＤアンテナ４６から延設した通信ケーブル２とコネクタ８０を介して接続されている。そのため配線支持体７０側から延びた通信ケーブル２はコネクタ８０を介してＲＦＩＤアンテナ４６側の通信ケーブルと容易に接続あるいはら取り外しが行える。
【００４１】
同様にして、引き出し２０２の前面板に設けられた左収納部指示ランプ２１２ａおよび右収納部指示ランプ２１２ｂも配線支持体７０側から延びた通信ケーブル２が仕切板６０の後方の配線溝６２を介して空間部５０内に引き込まれ、その後、特に図示しないがコネクタを介し、仕切板６０の前方の配線溝６２、６２を通って接続されている。
【００４２】
空間部５０の上端部には蓋体７５が取り付け可能になっており、この蓋体７５の長手方向を前後に向け下方に移動させながら、仕切板６０，６０間および引き出し２０２の前後間に嵌挿させることで位置固定される。このようにして、蓋体７５で空間部５０が閉蓋されると、空間部５０内に配線された通信ケーブル２を外部から遮蔽でき、かつ外部から保護されるとともに、蓋体７５によって収納部１０３ａ，１０３ｂに収納される物品等が空間部５０に落ち込まないように未然に防止されている。
【００４３】
前述した位置移動可能なＲＦＩＤ仕切板４４ａ、４４ｂにおけるＲＦＩＤアンテナ４６の所定の配設位置は、図２にも示されているように、電磁遮蔽材で構成された引き出し２０２の右収納部１０３ｂの前方の前面板から所定間隔（Ｌ１）離間され、後方の後面板から所定間隔（Ｌ２）で離間され底面板から所定間隔（Ｌ３）で離間されるように配置される位置である。
【００４４】
なお、ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００４５】
そこで、本実施例においては、ＲＦＩＤ仕切板４４ａ、４４ｂに配設されるＲＦＩＤアンテナ４６と右収納部１０３ｂの前面板との間隔（Ｌ１）を５０ｍｍとし、ＲＦＩＤアンテナ４６と右収納部１０３ｂの背面板との間隔（Ｌ２）を５０ｍｍとし、ＲＦＩＤアンテナ４６と収納部１０３ｂの底面板との間隔（Ｌ３）を５０ｍｍとした。
【００４６】
図４に示されるように、引き出し２０２内はＲＦＩＤ仕切板６０，６０によって左収納部１０３ａと右収納部１０３ｂとに区画され、これら左収納部１０３ａと右収納部１０３ｂには、ファイルケース１４が複数収納されており、これらファイルケース１４の両側面にはＲＦＩＤタグ３０が貼付されている。
【００４７】
なお、ＲＦＩＤ仕切板４４ａおよびＲＦＩＤ仕切板４４ｂをいずれの係止溝６１，６１’位置に取り付けた場合であっても、常にＲＦＩＤアンテナ４６を引き出し２０２の側面板および仕切板６０から所定間隔以上離間させる構成になっており、具体的には、ＲＦＩＤ仕切板４４ａ，４４ｂ内のＲＦＩＤアンテナ４６の左右端部には、非電磁遮蔽材である間接材４８が設けられることで、ＲＦＩＤアンテナ４６を電磁遮蔽材である仕切板６０，６０および引き出し２０２の両側面板から所定間隔離間させている。
【００４８】
そこで、本実施例においては、ＲＦＩＤ仕切板４４ａ，４４ｂに配設されるＲＦＩＤアンテナ４６と引き出し２０２の両側面板との間隔（Ｌ４）を５０ｍｍとし、ＲＦＩＤアンテナ４６と仕切板６０，６０との間隔（Ｌ５）を５０ｍｍとした。
【００４９】
このことから、ＲＦＩＤ仕切板４４ａ，４５ｂが複数形成された係止溝６１，６１’のいずれの取付位置に取り付けられた場合であっても、ＲＦＩＤアンテナ４６は電磁遮蔽材で構成される引き出し２０２の前面板、後面板、底面板及び側面板と仕切板６０，６０から影響を受けることなく、左収納部１０３ａと右収納部１０３ｂに収納されたファイルケース１４に貼付されたＲＦＩＤタグ３０との電磁波の送受信が行える構成になっている。
【００５０】
なお、ファイルケース１４に貼付されたＲＦＩＤタグ３０の貼付位置は、左収納部１０３ａおよび右収納部１０３ｂに収納されたファイルケース１４毎にそれぞれ位置をずらして貼付されており、ＲＦＩＤアンテナ４６によって複数のＲＦＩＤタグ３０の物品情報を同時に読み出す際にも読み取りミスの発生を防止でき、正確に物品情報の読み出しが行われるようになっている。
【００５１】
次いで、引き出し２０２の移動における配線支持体７０の可動状態について説明する。まず、取手２２０を利用して引き出し２０２を什器本体１ａから前方に引き出すと、上杆材７１の軸７４と下杆材７２の軸７４がそれぞれ支持金具７６，７７に回動支持されているために、配線支持体７０の中央の枢着部７１ａ，７２ａに位置する軸７３を中心に上杆材７１と下杆材７２回動し、両杆材は徐々に伸長する。さらに、引き出し２０２を前方に引き出すと、上杆材７１と下杆材７２が略一本の杆材となるように伸長された状態となる。同様にして、配線支持体７０上の通信ケーブル２も上杆材７１および下杆材７２に沿って伸長されていく。
【００５２】
次に、この引き出し２０２が引き出された状態から、引き出し２０２を引き出し収納庫２０２ａに向けて収納させていくと、軸７３を中心に上杆材７１と下杆材７２が回動し、２つの杆材７１，７２が互いに近接されて、二つ折りとなり、上面視逆「く」字状に屈曲されコンパクトに収納されていく。
【００５３】
そして、図５に示されるように、引き出し２０２を什器本体１ａ内に完全に収納させると、配線支持体７０の上杆材７１および下杆材７２の両者が上下に重なるように屈曲され、背面板１７に沿うようにコンパクトに収納されるので、什器本体１ａ内の引き出し収納庫２００ａのスペースを極力占有することなく省スペース化を図れるとともに、上杆材７１および下杆材７２の上下の間は所定の間隔が形成されているので、通信ケーブル２を上下の杆材７１，７２間で挟み込むことがない。
【００５４】
さらに、配線支持体７０の下杆材７２を引き出し２０２の後面板側に設けたことで、引き出し２０２の収納時には配線支持体７０が什器本体１ａの背面板１７と引き出し２０２の後方側のスペースに収納され、引き出し内にファイルケース１４を収納する際に配線支持体７０がほとんど邪魔になることがなく、既存の什器にも適用可能で、配線支持体７０のための新たなスペースを設ける必要がない。
【００５５】
また、配線支持体７０の下杆材７２を引き出し２０２の後面板の隅部側に設けた支持金具７７に支持させているので、配線支持体７０の伸長時に後面板の変形が抑えられ、下杆材７２と引き出し２０２との連結強度を高めることができる。
【００５６】
以上の説明により実施例では、上杆材７１と下杆材７２の枢着部７１ａ、７２ａ同士を軸７３で軸支させた配線支持体７０により、引き出し２０２を前後方向に移動させた際には、互いの上杆材７１，下杆材７２が伸長或いは中央の枢着部７１ａ、７２ａで屈曲され、その動きが常に一定となるので、配線支持体７０を無理なく、かつ確実に追従させることができ、上杆材７１および下杆材７２上に配線された通信ケーブル２に無理な外圧が加わることがなく、通信ケーブル２の劣化や引っ掛かりも防止されて、長期の使用が可能となる。
【００５７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、配線支持体７０は２本の杆材７１、７２を枢着することで安価に組み立てることができるとともに、軸７３を中心に屈曲させ、または伸長させることが可能な屈曲自在性を有していることから好ましいが、本発明はこれに限定されるものではなく、配線支持体に耐久性に優れた屈曲性のコイル状金属パイプや、屈曲性の蛇腹管を用いて、通信ケーブル２を内設するようにしても良い。
【００５８】
また、上記実施例では、保持具７１ｃ，７２ｃによって通信ケーブル２を上杆材７１および下杆材７２に支持させたことで、引き出し２０２の引き出し及び収納時に配線支持体７０からの脱落が確実に防止されることから好ましいが、本発明はこれに限定されるものではなく、例えば、通信ケーブル２と配線支持体７０をファスナーベルトで巻き付けて一体化させても良く、要は、配線支持体７０の屈曲および伸長によっても通信ケーブル２が脱落しない構成であれば、他の方法で位置固定させるようにしてもよい。
【図面の簡単な説明】
【００５９】
【図１】本発明の実施例における什器が適用された物品管理システムの構成を示すブロック図および什器群の斜視図である。
【図２】図１の什器の引き出し側の縦断面図である。
【図３】什器から引き出された引き出しを示す一部組立分解斜視図である。
【図４】什器から引き出された引き出しの平面断面図である。
【図５】引き出しが什器内に収納された状態を示す斜視図である。
【符号の説明】
【００６０】
１                    什器
１ａ                  什器本体
２                    通信ケーブル（信号ケーブルと給電ケーブルを含む）
１１                  中継装置
１４                  ファイルケース
１６                  天板（電磁遮蔽材）
１７                  背面板（電磁遮蔽材）
１８                  底板（電磁遮蔽材）
１９                  側面板（電磁遮蔽材）
２５                  上棚収納部の棚板
２６                  下棚収納部の棚板
３０                  ＲＦＩＤタグ
４４ａ                左側のＲＦＩＤ仕切板
４４ｂ                右側のＲＦＩＤ仕切板
４４ｃ                仕切板
４５                  係止部
４６                  ＲＦＩＤアンテナ（読出装置）
４８、４９            間接材
５０、５０’          空間部
６０                  仕切板
６１、６１’          係止溝
６２                  配線溝
６５                  配線ダクト
７０                  配線支持体
７１                  上杆材
７１ａ                枢着部
７１ｂ                端部
７１ｃ                保持具
７２                  下杆材
７２ａ                枢着部
７２ｂ                端部
７２ｃ                保持具
７３、７４            軸
７５                  蓋体
７６、７７            支持金具
８０                  コネクタ
８１                  接続端子
１００                書庫
１０１                上棚収納部
１０２                下棚収納部
１０３                物品の収納部（収納部）
１０３ａ              左収納部（収納部）
１０３ｂ              右収納部（収納部）
１０３ｃ              収納部
２００                ラテラル式の什器
２００ａ              引き出し収納庫
２０１〜２０４        引き出し
２０２ａ              後面板
２１０                収納部指示ランプ
２１１ａ〜２１４ａ    左収納部指示ランプ
２１１ｂ〜２１４ｂ    右収納部指示ランプ
２１５                解錠ランプ
２１６                スピーカ
２１７                施解錠装置
【図１】
2006223046.tif 000003
【図２】
2006223046.tif 000004
【図３】
2006223046.tif 000005
【図４】
2006223046.tif 000006
【図５】
2006223046.tif 000007